(57)【要約】【課題】  シンプルかつスマートな学習管理により学習時間（集中時間）を持続的に積み上げていくモチベーションを維持させる学習管理装置等を提供する。【解決手段】  情報管理サーバと、前記情報管理サーバにネットワークを介して接続可能である学習者の学習管理装置とからなる学習管理システムであって、前記学習管理装置は、計時部と、入力部と、前記装置の向きを検出する検出センサ部とを備え、前記計時部は、前記検出センサ部が検出した前記装置の向きによって前記学習者の学習時間を計時又は停止するとともに、前記入力部は、前記学習時間の計時前または停止後に前記学習時間中に前記学習者が学習した学習内容の入力を受付け、前記情報管理サーバは、前記学習管理装置が受け付けた前記学習内容がアップロードされてきた場合には前記学習内容を保存管理することを特徴とする。【選択図】  図６
2018180677.tif 000002
【特許請求の範囲】
【請求項１】
情報管理サーバと、前記情報管理サーバにネットワークを介して接続可能である学習者の学習管理装置とからなる学習管理システムであって、
前記学習管理装置は、計時部と、入力部と、前記装置の向きを検出する検出センサ部とを備え、
前記計時部は、前記検出センサ部が検出した前記装置の向きによって前記学習者の学習時間を計時又は停止するとともに、
前記入力部は、前記学習時間の計時前または停止後に前記学習時間中に前記学習者が学習した学習内容の入力を受付け、
前記情報管理サーバは、前記学習管理装置が受け付けた前記学習内容がアップロードされてきた場合には前記学習内容を保存管理する
ことを特徴とするシステム。
【請求項２】
前記計時部は、前記検出センサ部が前記装置の画面が上向きであることを検知した場合に前記計時を開始し、前記検出センサ部が前記装置の画面が下向きであることを検知した場合に前記計時を停止することを特徴とする請求項１に記載のシステム。
【請求項３】
前記検出センサ部は、前記装置の画面が下向きであることを検知した場合に、所定時間内に前記装置の画面が上向きであることを再び検知したときは、前記計時を継続再開させることを特徴とする請求項２に記載のシステム。
【請求項４】
前記請求項１〜３に記載のシステムにおける学習管理装置。
【請求項５】
情報管理サーバと、前記情報管理サーバにネットワークを介して接続可能である学習者の学習管理装置であって計時部と入力部と前記装置の向きを検出する検出センサ部とを備えた学習管理装置とからなる学習管理システム上で実行されるプログラムであって、前記システム上で実行されたとき、
前記計時部に、前記検出センサ部が検出した前記装置の向きによって前記学習者の学習時間を計時又は停止させるステップと、
前記入力部に、前記学習時間の計時前または停止後に前記学習時間中に前記学習者が学習した学習内容の入力を受付けるステップと、
前記情報管理サーバに、前記学習管理装置が受け付けた前記学習内容がアップロードされてきた場合には前記学習内容を保存管理させるステップと
を実行することを特徴とするプログラム。
【請求項６】
前記計時部に、前記検出センサ部が前記装置の画面が上向きであることを検知した場合に前記計時を開始させ、前記検出センサ部が前記装置の画面が下向きであることを検知した場合に前記計時を停止させるステップを実行することを特徴とする請求項５に記載のプログラム。
【請求項７】
前記検出センサ部に、前記装置の画面が下向きであることを検知した場合に、所定時間内に前記装置の画面が上向きであることを再び検知したときは、前記計時を継続再開させるステップを実行することを特徴とする請求項６に記載のプログラム。
【発明の詳細な説明】
【技術分野】
【０００１】
本発明は、広く学習者の学習時間等を管理するための装置及びシステム等に関し、より詳細には、必要に応じてネットワークを介して動作可能な学習管理装置及びシステム等に関する。
【背景技術】
【０００２】
従来、コンピュータ（ＰＣ）、携帯電話機、スマートフォン等の機器を使用した学習支援システムや生活習慣支援システム等が提案されてきた。
【０００３】
例えば、学習成果を正確に確認することが可能な集計結果を提供することができる学習支援システム、学習支援システムの学習履歴集計方法、及びコンピュータプログラムが提案されている（特許文献１）。
【０００４】
すわなち、特許文献１には、学習に使用される問題を表示する表示部と、前記表示部に表示された問題に対する解答を学習者から受け付ける入力部と、入力された解答を示す解答データを送信する第１通信部とを具備する学習クライアントと、前記学習クライアントに対して問題を示す問題データを送信し、前記学習クライアントから送信された解答データを受信する第２通信部を具備する学習サーバと、前記第２通信部によって受信された解答データに基づいて、学習者毎の学習履歴を記憶する学習履歴記憶部と、前記学習履歴億部に記憶された学習履歴に基づいて、学習者により解答が適切になされたか否かを判定する判定手段と、前記学習履歴記憶部に記憶された学習履歴から、前記判定手段により解答が適切になされていないと判定されたデータを除外し、学習履歴を集計する集計手段と、前記集計手段による集計結果を出力する出力部と、を備える学習支援システムが開示されている。
【０００５】
また、生活習慣を時間管理という側面から支援する目的で、ユーザの生活時間帯を入力する操作負担を軽減する測定情報管理装置も提案されている（特許文献２）。
【０００６】
すなわち、特許文献２には、ユーザによって測定された生活習慣を特徴づける情報の測定値を入力する測定値入力部と、ユーザの生活時間帯のうち、ユーザが前記測定を行った測定時刻が属すると考える時間帯を入力する測定時間帯入力部と、前記測定値が入力された現在時刻を取得する入力時刻取得部と、前記入力された測定値および時間帯と、前記取得された入力時刻とを対応づけた測定データを記憶する記憶部と、前記記憶された複数個の測定データを利用して、前記ユーザの固有の生活習慣に対応した生活時間帯を学習し、学習された時間帯を時間帯学習情報として前記記憶部に記憶する生活時間帯学習部と、新たに行われた測定により入力された測定値の入力時刻が、前記時間帯学習情報に記憶されたどの時間帯に属するかを判定する入力時間帯判定部とを備えることを特徴とする測定情報管理装置が開示されている。
【先行技術文献】
【特許文献】
【０００７】
【特許文献１】特開２０１２−１０３５６４号公報
【特許文献２】特開２０１６−１５２０１６号公報
【発明の概要】
【発明が解決しようとする課題】
【０００８】
しかしながら、これらの従来技術では学習時間（集中時間）を簡便にカウントする仕組みを提供するという観点からは改善の余地があった。さらに、学習時間（集中時間）を持続的に積み上げていくモチベーションの維持ないし増進を図るために他ユーザとの間で学習状況共有等を図っていくという観点からも改善の余地がある。
【課題を解決するための手段】
【０００９】
そこで、本発明の一実施形態にかかる学習管理システム等は、情報管理サーバと、前記情報管理サーバにネットワークを介して接続可能である学習者の学習管理装置とからなる学習管理システムであって、前記学習管理装置は、計時部と、入力部と、前記装置の向きを検出する検出センサ部とを備え、前記計時部は、前記検出センサ部が検出した前記装置の向きによって前記学習者の学習時間を計時又は停止するとともに、前記入力部は、前記学習時間の計時前または停止後に前記学習時間中に前記学習者が学習した学習内容の入力を受付け、前記情報管理サーバは、前記学習管理装置が受け付けた前記学習内容がアップロードされてきた場合には前記学習内容を保存管理することを特徴とする。
【発明の効果】
【００１０】
本発明の一実施形態にかかる学習管理装置等によれば、シンプルかつスマートな学習管理により学習時間（集中時間）を持続的に積み上げていくモチベーションを維持ないし増進させ、学習する者同士が互いに励まし合いながら学習の質をも向上させることができるという効果を奏する。
【図面の簡単な説明】
【００１１】
【図１】本発明の一実施形態にかかる学習管理装置（情報処理装置）を含むシステムの全体構成例を説明する説明図である。
【図２】本発明の一実施形態にかかる学習管理装置（情報処理装置）の外観構成を説明する説明図である。
【図３】本発明の一実施形態にかかる学習管理装置（情報処理装置）の機能ブロックを説明する説明図である。
【図４】本発明の一実施形態にかかる学習管理システムの動作例を説明する説明図である。
【図５】本発明の一実施形態にかかる学習管理装置（及びシステム）の詳細な動作例を説明する説明図である。
【図６】本発明の一実施形態にかかる学習管理装置の画面表示例を説明する説明図である。
【図７】本発明の一実施形態にかかる学習管理装置の他の画面表示例を説明する説明図である。
【図８】本発明の一実施形態にかかる学習管理装置の他の画面表示例を説明する説明図である。
【図９】本発明の一実施形態にかかる学習管理装置の他の画面表示例を説明する説明図である。
【図１０】本発明の一実施形態にかかる学習管理装置の他の画面表示例を説明する説明図である。
【図１１】本発明の一実施形態にかかる学習管理装置の他の画面表示例を説明する説明図である。
【図１２】本発明の一実施形態にかかる学習管理装置の他の画面表示例を説明する説明図である。
【発明を実施するための形態】
【００１２】
本発明の一実施形態にかかる学習管理装置及びシステム等について、図面を参照しながら詳細に説明する。
【００１３】
図１に、本発明の一実施形態にかかる学習管理装置を含む学習管理システムの全体構成例を示す。図１に示されるように、学習管理システム１０は、その典型的な構成として、情報管理サーバ１１と、ユーザ（学習者）が使用する学習管理装置（図において、例示的に、携帯情報端末ないしタブレット端末１２ａ〜１２ｄ、携帯電話１３、ＰＣ１４及び１５が示されている。以下、これらの学習管理装置を「情報処理装置」あるいは「端末」とも言うこともある）とで構成され、サーバ１１及び各種端末間は、図１に示されるように専用回線やインターネット等の公衆回線（有線の回線として、１６〜１８）で相互に通信可能に接続されている。また、回線は有線であっても無線であってもよく、無線の場合、携帯情報端末ないしタブレット端末１２及び携帯電話１３は、無線で図示しない基地局や無線ルータ等を介してインターネット１９に乗り入れ、更に回線１８を介して情報管理サーバ１１と相互に通信可能に接続されている。
【００１４】
なお、本願の出願時点での携帯電話や携帯情報端末ないしタブレットは、ＰＣに比肩する処理能力（通信処理速度や画像処理能力等）を備えているものも多く、小型のコンピュータとも言うべきものである。
【００１５】
また、本発明の実施に必要なプログラムないしソフトウェアは、通常、携帯情報端末やＰＣの記憶部におけるＨＤＤないしＳＳＤ等にインストールないし記憶され、プログラムないしソフトウェアの実行時には、必要に応じて記憶部内のメモリにその全部又は一部のソフトウェアモジュールとして読み出され、ＣＰＵにおいて演算実行される。
【００１６】
なお、演算実行は必ずＣＰＵ等の中央処理部で行われる必要はなく、図示しないディジタルシグナルプロセッサ（ＤＳＰ）等の補助演算装置を用いることもできる。
【００１７】
また、情報管理サーバ１１のハードウェア構成も、基本的にはＰＣを採用することができる。なお、本発明はこれに限定されるものではないが、情報管理サーバ１１は、必要に応じてそのハードウェアスペックを上げるにあたり、複数のＰＣを並列的に作動させることによって大規模データの処理に適した構成をとることもできる。
【００１８】
図２に、本発明の一実施形態にかかる情報処理装置（学習管理装置）としてのタブレット端末の外観構成を示す。図２において、情報処理装置（タブレット端末）１２は、筐体部１２１とディスプレイ１２２と筐体１２１の下部中央部に設けられたハードウェアボタン１２３とからなる。ディスプレイ１２２は典型的には液晶ディスプレイ（ＬＣＤ）等で構成され、文字や画像など様々な情報を表示することができる。また、ディスプレイ１２２にメニューボタンやソフトウェアキーボードを表示させ、これを指ないしタッチペン（不図示）等で触れることによりタブレット端末１２への指示（コマンド）とすることができる。この点で上記ハードウェアボタン１２３は必須の構成要素ではないが、本発明の説明の便宜上、一定の機能を担うボタンとして実装されている。もちろん、これらハードウェアボタン１２３を、ディスプレイ１２２の一部に表示させたメニューボタンで代替させることも可能である。
【００１９】
また、ディスプレイ１２２には、マルチタッチ入力パネルが含まれており、タッチ入力パネル上でのタッチ入力位置座標が入力デバイスインタフェース（不図示）を介してタブレット端末１２の処理系（ＣＰＵ）へ送信され処理される。そして、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００２０】
また、図２には現れていないが、タブレット端末１２は、マイクやスピーカを備えることもできる。この場合にはマイクから拾ったユーザの声などを判別して入力コマンドとすることも可能である。さらに、図２には現れていないが、タブレット端末１２の背面等には、ＣＭＯＳ等のカメラデバイスが実装されている。
さらに、タブレット端末１２には、端末の動きや傾きを検知するための加速度センサ（モーションセンサ）やジャイロ、方向を知るための電子コンパス、現在位置を取得するためのＧＰＳモジュールが実装されている。
【００２１】
図３に、本発明の一実施形態にかかるタブレット端末１２を構成するハードウェアの機能ブロック図を例示する。タブレット端末１２の動作は、以下に説明するハードウェアの個々の動作、及びこれらの連携動作によって実現されている。
【００２２】
図３において、ハードウェアブロック全体としてのタブレット端末３００は、大別すると、図２におけるハードウェアボタン１２３、ディスプレイ１２２に設けられたマルチタッチ入力パネル、マイク等で構成される入力部３０１と、プログラムやデータ等を記憶するためのハードディスク、ＲＡＭ及び／又はＲＯＭ等で構成される記憶部３０２と、プログラムによって様々な数値計算や論理演算を行うＣＰＵによって構成される中央処理部３０３と、ディスプレイ１２２等で構成される表示部３０４と、チップや電気系統等の制御を行うための制御部３０５と、インターネットにアクセスするためのスロットや光通信を行うためのポート、及び通信インタフェースから構成される通信インタフェース部３０６と、スピーカやバイブレーション等の出力部３０７と、時刻等を計時するための計時部３０８と、ＣＭＯＳ等のイメージセンサからなるセンサ部（検出センサ部）３０９と、装置内の各モジュールに電源を供給するための電源部３１０とからなり、これらのモジュールは必要に応じて適宜通信バスや給電線（図３においては、便宜上各線が適宜区分された結線３１１としてひとまとめに表す）によって接続されている。
【００２３】
なお、センサ部（検出センサ部）３０９には、タブレット端末３００（１２）の動きや傾きを検知するための加速度センサ（モーションセンサ）やジャイロ、方向を知るための電子コンパス、さらには、タブレット端末３００（１２）の位置を特定するためのＧＰＳセンサモジュールを含めることとしても良い。また、センサ部３０９を構成するＣＭＯＳ等のイメージセンサによって検知された信号は、入力部３０１において入力情報として処理される。
【００２４】
また、本発明の実施に必要なプログラムないしソフトウェアは、通常、記憶部３０２を構成するハードディスクディスク等にインストールないし記憶され、プログラムないしソフトウェアの実行時には、必要に応じて記憶部３０２内のメモリにその全部又は一部のソフトウェアモジュールとして読み出され、ＣＰＵ３０３において演算実行される。
【００２５】
なお、演算実行は必ずしもＣＰＵ等の中央処理部３０３で行われる必要はなく、図示しないディジタルシグナルプロセッサ（ＤＳＰ）等の補助演算装置を用いることもできる。
【００２６】
次に、図４〜図５の動作フローないしフローチャートを用いて、本発明にかかる一実施形態における学習管理システムないし学習管理装置（ユーザ端末）の動作を説明する。
【００２７】
図４は、本発明の一実施形態における学習管理システムの全体動作フローの概略を示す。図４において、「ユーザＡ端末」及び「ユーザＢ端末」はそれぞれ別のユーザの情報処理装置（スマートフォン）であり、一実施形態において、図１におけるタブレット端末１２がこれらに対応し、「情報管理サーバ」は、図１における情報管理サーバ１１がこれに対応する。また、図４中、ｔ１〜ｔ１５は時系列の流れを示し、経時的に後述する動作や処理が行われるものである。
【００２８】
まず、時刻ｔ１において、ユーザＡ（学習者）は、ユーザＡ端末を介して情報管理サーバから自身のユーザ端末を本発明にかかる学習管理装置として動作させるためのアプリケーションソフトウェアをダウンロードする（ステップＳ４０１）。このアプリケーションソフトウェアは、本発明にかかるプログラムの少なくとも一部を処理するためのソフトウェアである。そして、ダウンロードしたアプリケーションソフトウェアをユーザＡ端末にインストールする（ステップＳ４０２）。このとき、ユーザＡ端末からは、必要に応じて、ユーザ登録情報としてユーザ自身のメールアドレスのほか、次表のようなプロフィール情報を情報管理サーバへアップロード（ステップＳ４０３）して登録管理させることもできる（ステップＳ４０４、Ｓ４０５）。
【表１】
2018180677.tif 000003
【００２９】
併せて、情報管理サーバでは、ユーザの学習による学習科目（学習項目）ごとの学習時間（取り組み時間）の初期化等を行う（通常、初期値はゼロにセットされる）。
【００３０】
そして、本発明の一実施形態において、学習科目（取り組み項目）ごとの学習時間（取り組み時間）は、ユーザごとに次表のような管理テーブルによって管理される（次表は、ユーザＡの取り組み状況を管理する管理テーブル例である）。
【表２】
2018180677.tif 000004
【００３１】
以上のデータ項目は、ユーザデータとして情報管理サーバ上で保存管理される（ステップＳ４０５）。
【００３２】
次に、上記とは直接には連動しない別のシーンとして、ユーザＡ端末にアプリをダウンロード及びインストールした学習者（ユーザＡ）は、このユーザＡ端末を所持して自室や図書館などの机に向かう。
【００３３】
図４の時刻ｔ４において、学習者は学習管理装置に対する操作とともに、例えば自習などの学習を開始する。このとき、時刻ｔ４以降、学習管理装置では学習者の学習時間がカウントされる（ステップＳ４０６）。
ここで、本発明はこれらに限定されるものではないが、学習開始の合図（学習時間計測開始指示）となる学習管理装置への操作例には、次のような操作が挙げられる。
（Ａ１）学習管理装置がタブレットである場合、本発明の一実施形態にかかるアプリを起動した状態で伏せる（つまり、画面が下向きになるようにタブレットを机上に伏せる）。
（Ｂ１）学習管理装置が携帯電話やＰＣである場合、本発明の一実施形態にかかるアプリを起動後に所定のボタン等を押下する。
（Ｃ１）学習管理装置にインタフェースデバイス（マウス、ボタンデバイス、向きを感知するデバイスなど）が付属している場合、このインタフェースデバイスに対して何らかの所作（ボタンを押す、向きを変えるなど）を行う。
【００３４】
なお、上記（Ａ１）を採用する場合には、タブレット端末の向きを検出するために加速度センサやモーションセンサを使用することができる。さらに、しっかりと机に伏せられたかどうかをチェックするために、画面側に実装されたカメラによって光が拾われないかどうかをチェックさせることとしても良い。
【００３５】
次に、図４の時刻ｔ５において、学習者は学習管理装置に対する操作とともに、学習を中断する。このとき、時刻ｔ４以降学習管理装置において継続されていた学習者の学習時間の計測が中断される。
ここで、本発明はこれらに限定されるものではないが、学習中断の合図（学習時間計測中断指示）となる学習管理装置への操作例には、次のような操作が挙げられる。
（Ａ２）学習管理装置がタブレットである場合、本発明の一実施形態において伏せられていたタブレットを起こす（つまり、画面が下向きになるように机上に伏せられていたタブレットを画面が上向きになるように返す）。
（Ｂ２）学習管理装置が携帯電話やＰＣである場合、本発明の一実施形態にかかるアプリを起動後に所定のボタン等を押下する。
（Ｃ２）学習管理装置にインタフェースデバイス（マウス、ボタンデバイス、向きを感知するデバイスなど）が付属している場合、このインタフェースデバイスに対して何らかの所作（ボタンを押す、向きを変えるなど）を行う。
【００３６】
なお、上記（Ａ２）を採用する場合には、タブレット端末の向きを検出するために加速度センサやモーションセンサを使用することができる。
【００３７】
時刻ｔ６において、学習者は学習管理装置に対する操作とともに時刻ｔ５まで中断していた学習を再開する。このとき、時刻ｔ６以降、学習管理装置では学習者の学習時間が再びカウントされる（ステップＳ４０７）。
【００３８】
ここで、本発明はこれらに限定されるものではないが、学習再開の合図（学習時間計測再開指示）となる学習管理装置への操作例には、上述の（Ａ１）〜（Ｃ１）のような操作が挙げられる。
【００３９】
時刻ｔ７において、学習者は学習管理装置に対する操作とともに時刻ｔ６以降再開していた学習を中止する（中止のための操作には、上述の（Ａ２）〜（Ｃ２）のような操作が挙げられる）。このとき、時刻ｔ６以降、学習者の学習時間をカウントしていた学習管理装置はカウント処理を停止する（ステップＳ４０７）。
【００４０】
時刻ｔ７〜ｔ８において、学習者は、これまで学習していた学習内容（科目や読み進めたページ数など）についての情報を入力する（ステップＳ４０８）とともに、これらの入力情報を情報管理サーバにアップロードする（ステップＳ４０９）。
【００４１】
時刻ｔ８以降、情報管理サーバでは、ステップＳ４０９においてユーザＡ端末からアップロードされてきた情報を登録し保存管理する（ステップＳ４１０、Ｓ４１１）。
【００４２】
なお、本発明の他の実施形態にかかる学習管理装置は、スタンドアロン作動させることもでき、その場合には、逐次サーバへの情報のアップデートを行わず装置内において情報管理させることもできる（以下、他の図面を参照した説明においても同様である）。
【００４３】
次に、図４の別シーンにおいて、ユーザＡ（学習者）は、情報管理サーバへのログイン（ステップＳ４１２ａ）後、例示的に「サービス利用」（時刻ｔ１１〜ｔ１２）、「コミュニケーション」（時刻ｔ１３〜ｔ１５）という２つの典型的なユーザ端末操作を行う。なお、説明の便宜のために図４には明示していないが、時刻ｔ９以降のユーザ端末操作は、上述したステップＳ４０６〜ステップＳ４０８の処理の前後あるいは合間に適宜実施されることができる。
【００４４】
図４の時刻ｔ９において、ユーザＡは、ユーザＡ端末を介して情報管理サーバへログインを試みる（ステップＳ４１２ａ）と、ステップＳ４１３において、情報管理サーバでは適宜認証処理が行われてユーザＡは情報管理サーバへログインする。また、図４の時刻ｔ１０においては、ユーザＢが、ユーザＢ端末を介して情報管理サーバへログインを試みる（ステップＳ４１２ｂ）。ステップＳ４１４では、情報管理サーバにおいて適宜認証処理が行われてユーザＢは情報管理サーバへログインする。
【００４５】
次に、時刻ｔ１１〜ｔ１２の「サービス利用」区間では、ユーザＡ（学習者）は、ユーザＡ端末から情報管理サーバへサービス利用コマンドを送信し（ステップＳ４１５）、情報管理サーバではその要求に応えてサービス処理を行ってサービスを提供する（ステップＳ４１６、Ｓ４１７）。一例として、ユーザ端末上の表示画面に表示されたサービスメニュー（図６等を参照して後述）から所望のサービス要求をすることなどが挙げられる。
【００４６】
また、時刻ｔ１３〜ｔ１５の「コミュニケーション」区間では、ユーザＡ（学習者）は、一例としてユーザＡ端末から特定の相手（例えば、講師など）もしくは特定多数の相手（例えば、サーバ上に登録された勉強仲間グループのメンバーなど）に向けてメッセージを送信する（時刻ｔ１３、ステップＳ４１８）。このメッセージは、情報管理サーバにて中継され（ステップＳ４１９）、特定の相手もしくは特定多数の相手に転送され相手方において受信される（図４において、不図示）。また、送信したメッセージは自身の端末でも確認できる（時刻ｔ１４、ステップＳ４２０）。
【００４７】
さらに、図示しないユーザによる図示しない操作によりグループユーザに対する連絡等の処理が発生した場合（ステップＳ４２１）には、これらの連絡等は一例として同グループに所属するユーザＡ及びユーザＢに対してメッセージとして送信されそれぞれのユーザ端末において受信される（時刻ｔ１５、ステップＳ４２２、Ｓ４２３）。
【００４８】
なお、図４のステップＳ４０８の入力ないし記録は、ステップＳ４０６の前（例えば直前）に入力ないし記録させることとしても良い。
【００４９】
図５に、図４で説明したフローと一部重複する形で、ユーザ端末でのアプリ起動後、学習管理がなされていく様子、並びに、他のサービスが提供される様子を説明する学習管理装置（及びシステム）の動作フローチャート例を示す。図４を参照して説明しなかった部分は、本発明の一実施形態における動作バリエーションであって、本発明の外延を制限するものではない。
【００５０】
ステップＳ５０１において、ユーザ端末上のアプリ（既に情報管理サーバよりダウンロード及びインストール済）を起動すると、ステップＳ５０２へ進み、ユーザ端末（つまり、ユーザないし学習者自身）がどの場所にいるかのチェックイン処理を行う。このチェックイン処理は、ユーザが現在自宅にいるのか、あるいは塾や図書館等の施設にいるのかを入力させる処理である。チェックイン処理は、ユーザ自身による直接入力でも良いし、ユーザ端末に内蔵されたＧＰＳ機能を使って（及び必要に応じて地図情報を参照して）判別させて自動的に入力させることとしても良い。
【００５１】
次に、ステップＳ５０３に進み、学習管理装置は学習者（端末ユーザ）の学習を管理するための待機状態に入る（正確には、ステップＳ５０４においてＮｏとなってステップＳ５０３へ復帰する処理ループである）。ここで、ステップＳ５０３においてユーザが学習管理以外の他のサービス提供を指示した場合にはステップＳ５１０へスキップする（図５において、ステップＳ５０３からステップＳ５１０へのスキップフローについては記載を省略する）。
【００５２】
ステップＳ５０４では、学習管理のためのタイマーがユーザ操作によりスタートされたかどうかが判断される。同ステップにおいてＹｅｓの場合はステップＳ５０５へ進むが、Ｎｏの場合はステップＳ５０３へ復帰する。
なお、ステップＳ５０４においてＹｅｓとなるユーザ操作については、上述した（Ａ１）〜（Ｃ１）のような操作を採用することができる。
【００５３】
ステップＳ５０５では学習管理装置のタイマーが起動され計時処理が開始される。ステップＳ５０６において、ユーザ操作によりタイマーが停止（中断）されない限り計時処理は継続される（ステップＳ５０６においてＮｏとなりステップＳ５０５へ復帰するループである）。
【００５４】
ステップＳ５０６において、ユーザ操作によりタイマーが停止（中断）される（Ｙｅｓ）と、ステップＳ５０７へ進む。ここで、ステップＳ５０６においてＹｅｓとなるユーザ操作については、上述した（Ａ２）〜（Ｃ２）のような操作を採用することができる。
【００５５】
ステップＳ５０７では、所定時間内（本発明はこれに限定されるものではないが、一例として数秒〜１５秒程度）にユーザ操作によりタイマー計測（計時）が再開されたかどうかが判断され、計時が再開された場合（Ｙｅｓ）にはステップＳ５０５へ復帰して計時が再開継続される。ここで、ステップＳ５０７でＹｅｓとなるユーザ操作については、上述した（Ａ１）〜（Ｃ１）のような操作を採用することができる。
【００５６】
ステップＳ５０７においてＮｏの場合、つまり、ステップＳ５０６においてタイマー計測が停止され所定時間内に再開されなかった場合にはステップＳ５０８へ進む。
なお、本発明の他の実施形態においては、ステップＳ５０７を省略することもできる。
【００５７】
ステップＳ５０８では、これまで計測してきた学習時間を学習管理装置から情報管理サーバへアップロードするとともに、ユーザに入力などによりタイマー計測対象となった学習内容（科目や教材等の情報）を記録する（必要に応じてこれらの学習内容情報も情報管理サーバにアップロードされる）。
【００５８】
ステップＳ５０９では、ユーザ指示により他のサービス提供を希望するかどうかが判断され、Ｎｏの場合にはステップＳ５１１へスキップするが、Ｙｅｓの場合にはステップＳ５１０へ進み他のサービス（図６等を参照して後述）がユーザに提供される。
【００５９】
ステップＳ５１１では、アプリを終了するかどうかが判断され、図示しないユーザ操作によりアプリ終了の指示があった（Ｙｅｓ）場合にはステップＳ５１２へ進み本フローとしては終了するが、ステップＳ５１１においてＮｏの場合にはステップＳ５０３へ復帰する。
【００６０】
なお、図５のステップＳ５０８の入力ないし記録は、ステップＳ５０４の前（例えば直前）に入力ないし記録させることとしても良い。
【００６１】
図６に、本発明の一実施形態にかかる学習管理装置の画面例を示す。図６において、端末（筐体等は割愛する。図６以降、同様）の表示画面部６００には、図５のステップＳ５０３に示した待機状態の画面例が示されている。図６のメッセージ６１０にはタイマー計測開始のための操作の案内としてスマートフォン（学習管理装置）を裏返して机等に伏せることが説明されている。
【００６２】
計時カウンタ表示領域６２０には、計時カウンタが表示されており、時・分・秒までの計時カウント表示が可能なように構成されている。ステータス表示領域６３０には、本日の日付表示６３１と、目標達成度表示ゲージ６３３が表示されている。このゲージ６３３は、ある教科や教材に対して、あるいは、本日／今月等の所定の期間に対して予め設定された学習時間に対する達成度（時間割合）を視覚的に表示するものであり、同図には例示的に現時点で１３％の達成度を示す矢印６３２が示されている。
表示領域６３０には、さらに本日学習した時間の合計表示６３４及び所定の目標達成までに学習すべき時間数６３５が表示されている。
【００６３】
また、表示画面部６００の最下段には、各種サービス提供を受けるためのメニュー表示がなされており、本発明の一実施形態において選択可能なメニューとして、タイマー選択ボタン６４１（一例として、直接的または間接的に図６に示された画面へ遷移）、カレンダー選択ボタン６４２（一例として、直接的または間接的に図７で後述する画面へ遷移）、フレンド選択ボタン６４３（一例として、直接的または間接的に図８で後述する画面へ遷移）、マイページ選択ボタン６４４（一例として、直接的または間接的に図９で後述する画面へ遷移）が表示されている。
【００６４】
図７に、本発明の一実施形態にかかる学習管理装置の他の画面例を示す。図７において、端末の表示画面部７００には、図５のステップＳ５１０に示したサービスの１つとしてのサービス画面例が示されている。表示画面部７００には、図示しないカレンダーから選択したある年月日の時間スケジュール設定領域７１０が示されており、時間は例示的に１時間の時間枠７１１、７１２等によって区切られている。また、同図においては、０７：００〜０８：００の時間枠７１１には食事アイコン７１３が例示的に配置されており、０８：００〜０９：００の時間枠７１２にはゲームアイコン７１４が例示的に配置されている。これらはユーザによってスケジューリングされたものであり、この日の朝０７：００〜０８：００までは朝食をとり、０８：００〜０９：００までは余暇としてゲームをして過ごすという予定として入力されている。
【００６５】
本発明の一実施形態において、上述した予定入力は、表示画面部７００の下段にあるメニューアイコン７２１〜７２６を画面内の時間枠へドラッグアンドドロップないしドラッグ操作して入力させることができる。例えば、食事アイコン７２２を時間枠７１１へドラッグ操作すれば、図に示されたように時間枠７１１に食事アイコン７１３が配置される（このとき、アイコン７２１が消えてしまう訳ではない）。また、ゲームアイコン７２６を時間枠７１２へドラッグ操作すれば、図に示されたように時間枠７１２にゲームアイコン７１４が配置される（このときも、ゲームアイコン７２６が消えてしまう訳ではない）。
【００６６】
図７において用意されているメニューアイコンは、これらに限定されるものではないが、休憩アイコン７２１、食事アイコン７２２、学校アイコン７２３、部活アイコン７２４、テレビアイコン７２５、ゲームアイコン７２６である。図示されていないが、学習アイコンや塾アイコン、読書アイコンなども採用することができる（アイコン数が多い場合には横スクロール操作等によって表示及び選択できるように構成可能である）。
【００６７】
図８に、本発明の一実施形態にかかる学習管理装置の他の画面例を示す。図８において、端末の表示画面部８００には、図５のステップＳ５１０に示したサービスの１つとしてのサービス画面例が示されている。表示画面部８００には、当該端末ユーザＡ（８０１にユーザＡを示すアイコンが表示されている）の友達関係（フレンド）の現在のステータス状況等を示すフレンドステータス表示領域８１１〜８１４が示されている。なお、本発明の一実施形態において、ユーザＡはグループＧに属しており、そのことがグループアイコン８０２に表されている。フレンドステータス表示領域８１１〜８１４に示されたフレンド（後述するユーザＢ〜Ｅ）はグループＧに所属するメンバーである。
【００６８】
本発明の一実施形態において、表示領域８１１には、グループＧのメンバーＢのアイコン８２１が表示されており、メンバーＢのニックネーム「プーーーーーーーー」とログイン状態（図中「ログイン中」であることが示されている）と現在の学習科目ないし教材（数学ｍａｘ）等の情報とが、リアルタイム表示されている。以下同様に、表示領域８１２〜８１４には、グループＧのメンバーＣ〜Ｅのアイコン８２２〜８２４とともに、それぞれのニックネーム、ログイン状態、現在の学習科目ないし教材等の情報がリアルタイムに表示されている。
【００６９】
図９に、本発明の一実施形態にかかる学習管理装置の他の画面例を示す。図９において、端末の表示画面部９００には、図５のステップＳ５１０に示したサービスの１つとしてのサービス画面例が示されている。表示画面部９００には、当該端末ユーザ（ニックネームとして「みかん大好き」が表示されている）のプロフィール情報や学習状況等が表示されている。プロフィール情報表示領域９１０には、ニックネーム「みかん大好き」、ユーザＩＤ「１２３４５６７９」の他、自己紹介ないし近況報告情報等が表示されている。同領域右上の「プロフィール編集」ボタンを押下することにより図示しない編集画面へ遷移させ、これらプロフィール情報の一部又は全部を変更することもできる。
【００７０】
学習状況等は、表示領域９２０、９３０、９４０、及び９５０に表示されている。表示領域９２０には、本日の学習時間（延べ時間）が表示されており、図示しない指示手段により本日の総学習時間のみならず学習科目ないし教材ごとの総学習時間を表示させることもできる（以下、後述の表示領域９３０、９４０について同様）。そして、表示領域９３０には、今週の学習時間（延べ時間）が表示されており、表示領域９４０には、本日の目標学習時間（目標延べ時間）に対する達成率（時間割合など）が表示されている。
また、表示領域９５０は、これらに限定されるものではないが、趣味趣向のページや同好グループのページへアクセスするためのアクセスメニュー表示欄となっている。その他スクロール操作によって閲覧可能な種々の情報を表示させることができる。
【００７１】
図１０に、本発明の一実施形態にかかる学習管理装置の他の画面例を示す。図１０において、端末の表示画面部１０００には、図５のステップＳ５０７に示したタイマー計測一時中断状態での装置画面例が示されている。表示画面部１０００には、例えば、図５のステップＳ５０４でタイマースタート（Ｙｅｓ）し、タイマー計測を継続させ（ステップＳ５０５〜ステップＳ５０６でＮｏのループ）、ステップＳ５０６においてタイマー継続を中断（Ｙｅｓ）したところまでの学習時間が「今回集中時間」として１０１０に表示されている（図中、３１分０９秒）。
【００７２】
また、表示欄１０２０には、本日集中した総時間（学習科目や教材ごとの総時間であってもよい）が表示されている（図中、５６分）。もし、ここで時間をおかずに確認ボタン１０３０を押下した場合にはユーザ指示による学習時間計測の停止となり、図示しない別画面へ遷移して学習科目や教材等の情報入力を行う（例えば、図５のステップＳ５０８）。しかしながら、図１０のコメント欄１０４０にも記載しているように、所定の時間（一例として、数秒〜１５秒程度）内に再度端末を裏返すなどして机上に伏せた場合には、時間計測を停止させることなく引き続き時間計測を継続させることができる（例えば、図５のステップＳ５０７においてＹｅｓの流れ）。この場合、今回集中時間は３１分０９秒から継続カウントされる。
【００７３】
また、本発明の一実施形態において、上述のような学習時間一時中断後の再計測操作（図５のステップＳ５０７においてＹｅｓの流れ）は、一連の学習時間計測において例えば３回までといった所定回数までの上限を設けることができる（学習時間の一時中断を癖にしないためである）。図１０においては、「前に続いて集中すること可能（２／３）」とのコメントが例示されており、継続集中回数の上限が３回とされた状況において２回継続集中済み（つまり、図５のステップＳ５０７においてＹｅｓの流れを既に２回通過済み）であることが示されている。
【００７４】
図１１〜図１２に、本発明の一実施形態にかかる学習管理装置の他の画面例を示す。図１１〜図１２では、図示しない操作指示により、ユーザの学習科目（教材）別、期間別の学習状況を視覚的に表示させるように構成したものである。図１１の表示画面部１１００には、あるユーザの「読書」に関する「月別」の取り組み時間が表示されている。なお、学習科目（教材）別、期間別の学習状況の切り替えは、一例として、メニュー選択領域１１１０に対する操作（例えば、タップ操作など）によって適宜切り替えることができる。
【００７５】
図１１の表示領域１１２０には、その年（一例として、２０１６年）の総学習時間（総取り組み時間）が表示されている（図中、１８３時間１０分）。続いて月別表示領域１１３１〜１１３５には、１１月から遡って７月までの月ごとの総学習時間（総取り組み時間）がそれぞれ表示されている。もちろん、６月以前のデータについても図示しないタップ操作・フリック操作等によりスクロールさせるなどして表示させることができる。
【００７６】
なお、閉じるボタン１１９０を押下すると本サービスを終了する（図５では、ステップＳ５１０からステップＳ５１１へ進む）。
【００７７】
次に、図１２の表示画面部１２００には、あるユーザの「読書」に関する所定期間の取り組み時間が週別にグラフ表示されている。
【００７８】
図１２の表示領域１２１０には、グラフ表示対象の期間が表示されている（図において、２０１６年１１月を中心とした１０月３１日〜１２月４日までの５週間）。もちろん、該当期間以外の期間のグラフデータについても、タップ操作（一例として、矢印アイコン１２４１または１２４２へのタップなど）・フリック操作等により切り換え表示させることができる。
【００７９】
図１２の表示領域１２２０には、該当期間の総取り組み時間が表示されている（図におて、４３時間３６分５１秒）。また、グラフ表示領域１２３０には、該当期間中の第１週（Ｗ１）〜第５週（Ｗ５）までの取り組み時間がグラフ表示されている。本発明はこれに限定されるものではないが、週ごとの取り組み時間の多さによって週アイコン（Ｗ１〜Ｗ５）の色や大きさを変えるように制御させても良い。
【００８０】
なお、閉じるボタン１２９０を押下すると本サービスを終了する（図５では、ステップＳ５１０からステップＳ５１１へ進む）。
【００８１】
以上、具体例に基づき、学習管理システム及び学習管理装置等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００８２】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００８３】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００８４】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００８５】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００８６】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００８７】
１０  学習管理システム
１１  情報管理サーバ
１２ａ〜１２ｄ  タブレット端末（ユーザ端末であり学習管理装置の一形態）
１３  携帯電話（ユーザ端末であり学習管理装置の一形態）
１４、１５  ＰＣ（ユーザ端末であり学習管理装置の一形態）
１９  公衆回線（専用線、インターネット等）
【図１】
2018180677.tif 000005
【図２】
2018180677.tif 000006
【図３】
2018180677.tif 000007
【図４】
2018180677.tif 000008
【図５】
2018180677.tif 000009
【図６】
2018180677.tif 000010
【図７】
2018180677.tif 000011
【図８】
2018180677.tif 000012
【図９】
2018180677.tif 000013
【図１０】
2018180677.tif 000014
【図１１】
2018180677.tif 000015
【図１２】
2018180677.tif 000016